(57)【要約】【課題】背かんにおける肩紐との結合部の破損を防止し、かつ背負う者の肩にかかる負担を軽減することにある。【解決手段】肩紐４の一端部４１を背当て部２に連結する背かん３を有し、背かん３は支持部材３２と連結部材３３とを有し、連結部材３３は基端部３３ａと板状部３３ｂとを有し、基端部３３ａはその上方に位置する板状部３３ｂの各面が背当て部２の前後方向に揺動変位するように支持部材３２に連結されかつ板状部３３ｂの前方への揺動角度が所定の角度となるように制限され、板状部３３ｂは基端部３３ａ又は棒状部材（脱落防止部材）３２ｉで折り返されて板状部３３ｂの各面を挟んだ状態となる肩紐４の一端部４１と結合する貫通孔（結合部）３３ｈを有しかつ基端部３３ａと貫通孔３３ｈとの間に基端部３３ａに対して離接する方向に弾性変形する弾性変形部３３ｉを有する構成になっている。【選択図】  図５
2009077884.tif 000002
【特許請求の範囲】
【請求項１】
帯状に形成された左右一対の各肩紐の一端部を背当て部の上部に連結するために、当該背当て部の上部に設けられた背かんを有するランドセルであって、
前記背かんは、前記背当て部に固定されるベース部材と、このベース部材に設けられた左右一対の支持部材と、これらの各支持部材と前記各肩紐の一端部とを連結する連結部材とを有し、
前記連結部材は、基端部と、この基端部から板状に延在する板状部とにより一体的に形成されており、
前記基端部は、当該基端部の上方に位置する前記板状部の各面が前記背当て部の前後方向に揺動変位するように前記支持部材に回転自在に連結されていると共に、前記板状部の前方への揺動角度が所定の角度となるように回転範囲が制限されるようになっており、
前記板状部は、前記基端部で折り返されて当該板状部の各面を両側から挟んだ状態となる前記肩紐の一端部と結合するための結合部を有すると共に、前記基端部から前記結合部までの間に、前記基端部に対して少なくとも離接する方向に弾性的に伸縮する弾性変形部を有していることを特徴とするランドセル。
【請求項２】
前記揺動角度は、前記背当て部の背当て面に対して当該背当て部の前方に３０度の角度となるように設定されていることを特徴とする請求項１に記載のランドセル。
【請求項３】
前記弾性変形部は、前記板状部の一部が当該板状部の一方の面側に突出するように湾曲形成された湾曲部によって構成されていることを特徴とする請求項１又は２に記載のランドセル。
【請求項４】
前記支持部材は、前記基端部で折り返される前記肩紐の一端部の内側に沿って配置され、当該折り返された肩紐の一端部が当該支持部材から脱落するのを防止する脱落防止部材を有していることを特徴とする請求項１〜３の何れかに記載のランドセル。
【発明の詳細な説明】
【技術分野】
【０００１】
本発明は、左右一対の肩紐を背当て部に連結するための背かんを備えたランドセルに関する。
【背景技術】
【０００２】
この種のランドセルとしては、図１１に示すように、帯状に形成された左右一対の各肩紐Ａの一端部を背当て部Ｂの上部に回転自在に連結するための背かんＣを備えたものが知られている（例えば、特許文献１の図１０、図１１参照）。また、ランドセルは、図１１に示すように、一般に、その重心Ｗが背当て部Ｂの後方に位置しているため、その背当て部Ｂの上端部Ｂ１を後方に移動させる方向のモーメントＭを受けることになる。
【０００３】
このように構成されたランドセルにおいては、肩紐Ａの一端部が背かんＣに回転自在に連結されているため、上述したモーメントＭを受けることにより、図１１に示すように、肩紐Ａの一端部が背かんＣに対して回転し、背当て部Ｂの上端部Ｂ１が背負う者の背中から離れる方向に移動することになる。このため、ランドセルが重く感じるようになったり、肩紐Ａが背負う者の肩から外れやすくなるという問題があった。
【０００４】
このため、肩紐の一端部を背当て部から上方に立ち上げるように保持する背かんを備えたランドセルが開発されている（例えば、特許文献２の図１及び図２参照）。
【０００５】
また、より背負いやすくするため、肩紐の一端部を背当て部に対して前後方向に約１５〜６０度の角度範囲で回転可能に構成すると共に、当該肩紐の一端部が前後方向に弾性的に屈曲することを可能にする背かんを備えたものも開発されている（例えば、特許文献１の段落番号０００９及び図８参照）。
【０００６】
上記のように構成された改良型のランドセルにおいては、肩紐の一端部を上方に立ち上げるように保持する背かんや、肩紐の一端部が前方に回転する角度を所定の角度（約１５度）に規制する背かん等を備えたものとなっているため、上述したモーメントＭに対する抗力を背かんにおける肩紐との結合部に発生させることかでき、これにより、背当て部の上端部が背中から離れる方向に移動するのを防止することができるという有利な効果がある。
【０００７】
【特許文献１】特開２００４−８１８００号公報
【特許文献２】特開２００６−３８２号公報
【発明の開示】
【発明が解決しようとする課題】
【０００８】
ところが、上記従来の改良型のランドセルにおいては、上述したモーメントＭに対する抗力が背かんにおける肩紐との結合部に集中的に発生することになるので、例えば走ることによってランドセルが上下方向に振動した場合には、その振動による運動エネルギが大きな衝撃力となって、その結合部に作用することになる。このため、背かんにおける肩紐との結合部が破損しやすいという問題があった。また、上述した衝撃力が肩紐を介して背負う者の肩にも作用することになることから、その肩に大きな負担がかかるという問題もあった。
【０００９】
本発明は、上記事情に鑑みてなされたものであり、背かんにおける肩紐との結合部の破損を防止することができ、かつ背負う者の肩にかかる負担を軽減することができるランドセルを提供することを課題としている。
【課題を解決するための手段】
【００１０】
上記課題を解決するために、請求項１に記載の発明は、帯状に形成された左右一対の各肩紐の一端部を背当て部の上部に連結するために、当該背当て部の上部に設けられた背かんを有するランドセルであって、前記背かんは、前記背当て部に固定されるベース部材と、このベース部材に設けられた左右一対の支持部材と、これらの各支持部材と前記各肩紐の一端部とを連結する連結部材とを有し、前記連結部材は、基端部と、この基端部から板状に延在する板状部とにより一体的に形成されており、前記基端部は、当該基端部の上方に位置する前記板状部の各面が前記背当て部の前後方向に揺動変位するように前記支持部材に回転自在に連結されていると共に、前記板状部の前方への揺動角度が所定の角度となるように回転範囲が制限されるようになっており、前記板状部は、前記基端部で折り返されて当該板状部の各面を両側から挟んだ状態となる前記肩紐の一端部と結合するための結合部を有すると共に、前記基端部から前記結合部までの間に、前記基端部に対して少なくとも離接する方向に弾性的に伸縮する弾性変形部を有していることを特徴としている。
【００１１】
請求項２に記載の発明は、請求項１に記載の発明において、前記揺動角度は、前記背当て部の背当て面に対して当該背当て部の前方に３０度の角度となるように設定されていることを特徴としている。
【００１２】
請求項３に記載の発明は、請求項１又は２に記載の発明において、前記弾性変形部は、前記板状部の一部が当該板状部の一方の面側に突出するように湾曲形成された湾曲部によって構成されていることを特徴としている。
【００１３】
請求項４に記載の発明は、請求項１〜３の何れかに記載の発明において、前記支持部材は、前記基端部で折り返される前記肩紐の一端部の内側に沿って配置され、当該折り返された肩紐の一端部が当該支持部材から脱落するのを防止する脱落防止部材を有していることを特徴としている。
【発明の効果】
【００１４】
請求項１に記載の発明によれば、連結部材の基端部が支持部材に回転自在に連結され、当該基端部の上方に位置する板状部の各面が背当て部の前後方向に揺動するようになっていると共に、板状部の前方への揺動角度が所定の角度となるように基端部の回転範囲が制限されるようになっており、かつ肩紐の一端部が基端部で折り返されて板状部の各面を挟んだ状態で当該板状部の結合部に結合されるようになっているので、背当て部の上端部を背中から離す方向に生じるモーメントに対して、そのモーメントに抗する力を板状部における結合部（背かんにおける肩紐との結合部）に発生させることができる。従って、背当て部の上端部が背中から離れる方向に移動するのを防止することができるので、ランドセルが重く感じるようになったり、肩紐が肩から外れやすくなるのを防止することができる。
【００１５】
この場合、板状部が所定の角度の範囲で背当て部の前方に揺動することが可能になっているので、肩紐の一端部及びその近傍部分が肩に沿うように自然に傾くようになると共に、背当て部が背中の上方に位置することになる。従って、より違和感なく背負うことができると共に、より軽く感じることができるという効果がある。
【００１６】
一方、上述のように、モーメントに対する抗力が板状部の結合部に生ずることから、例えば走ることによってランドセルが上下方向に振動すると、その振動による運動エネルギが大きな衝撃力となって板状部の結合部に作用することになる。しかし、板状部における基端部から結合部までの間に、基端部に対して少なくとも離接する方向に弾性的に伸縮する弾性変形部が設けられているので、上述した運動エネルギをその弾性変形部の伸縮によって吸収することができる。従って、板状部の結合部に作用する衝撃力を緩和することができるので、当該結合部の破損を防止することができる。即ち、背かんにおける肩紐との結合部の破損を防止することができる。
【００１７】
また、上述した衝撃力を緩和することができることから、肩紐を介して背負う者の肩に作用する荷重も軽減することができる。従って、子供等の肩にかかる負担を軽減することができる。
【００１８】
一方、肩紐の一端部が基端部で折り返されて板状部の結合部で結合されるようになっているので、万一、板状部がその結合部において破損するようなことがあっても、当該肩紐の折り返された部分が基端部に引っ掛かった状態になる。従って、板状部の結合部が仮に破損するようなことがあっても、肩紐の一端部が背かんから突然外れてしまうようなことがない。
【００１９】
請求項２に記載の発明によれば、揺動角度が背当て部の背当て面に対して当該背当て部の前方に３０度の角度となるように設定されているので、背負う者の肩に沿って肩紐の一端部及びその近傍部分が十分に密着するように傾くことになる。また、３０度を超えて板状部を揺動させようとするモーメントに対しては抗力が生ずることになるので、背当て部の上端部が背中から離れる方向に移動するのを防止することができる。
【００２０】
ここで、上記所定の角度を３０度としたのは、この３０度の範囲で板状部が揺動可能であれば、種々の体型の者の肩に沿って肩紐の一端部及びその近傍部分が十分に傾くことになるからであると共に、３０度を超えて板状部を揺動可能とした場合には、上述したモーメントに対する抗力が発生しにくくなり、背当て部の上端部が背中から離れる方向に移動しやすくなるからである。
【００２１】
請求項３に記載の発明によれば、弾性変形部が板状部の一部を当該板状部の一方の面側に突出するように湾曲形成された湾曲部によって構成されているので、上述した伸縮する方向に十分大きなストロークをもって弾性変形することが可能になり、より大きな運動エネルギを吸収することができる。これにより、板状部の結合部に作用する衝撃力を有効に緩和することができるので、当該結合部の破損をより確実に防止することができると共に、背負う者の肩にかかる負担を十分に軽減することができる。しかも、弾性変形部が上述した湾曲部によって形成されているので、板状部の面の方向にも弾性的に屈曲変形することが可能になる。従って、肩紐の一端部及びその近傍部分が背負う者の肩に沿うようにより柔軟に傾くことが可能になるので、肩にかかる負担をより緩和させることができるという効果がある。
【００２２】
請求項４に記載の発明によれば、基端部で折り返された肩紐の一端部の内側に沿って、当該折り返された肩紐の一端部が支持部材から脱落するのを防止する脱落防止部材が支持部材に設けられているので、たとえ板状部の結合部が破損し、更に基端部も支持部材から外れてしまうようなことがあったとしても、当該肩紐の折り返された部分が脱落防止部材に引っ掛かった状態になる。従って、肩紐の一端部が背かんから突然外れてしまうのを確実に防止することができる。
【発明を実施するための最良の形態】
【００２３】
以下、本発明を実施するための最良の形態としての一実施の形態について図面を参照しながら説明する。
【００２４】
この実施の形態で示すランドセルは、図１に示すように、ランドセル本体部１と、このランドセル本体部１の一側面に設けられた背当て部２と、この背当て部２の上部における左右方向の中央部に設けられた背かん３と、この背かん３に一端部４１が連結された左右一対の肩紐４と、この肩紐４の他端部をランドセル本体部１の底部に固定すべく当該ランドセル本体部１の底面に設けられた左右一対のダルマかん５（図１０参照）を備えている。
【００２５】
ランドセル本体部１は、図１に示すように、矩形状に形成された大マチ１１や、この大マチ１１の後方に配置された小マチ１２等を有し、これらの大マチ１１及び小マチ１２等の上方開口部等を冠１３で開閉するようになっている。
【００２６】
背当て部２は、四角形の板状に形成されたものであって、ランドセル本体部１における大マチ１１の前面に一体的に結合されている。この背当て部２は、その前面に、所定の形状に隆起したクッション部２１を有しており、そのクッション部２１の表面が背負う者の背中に適度な弾力性をもって当接する背当て面２１ａとなっている。なお、上述した冠１３は、背当て部２の上端部２ａに連結されていると共に、当該上端部２ａを支点にして屈曲することによって、大マチ１１や小マチ１２等の上方開口部等を開閉することが可能になっている。
【００２７】
背かん３は、図２に示すように、背当て部２に当接するベース部材３１と、このベース部材３１に揺動自在に設けられた左右一対の支持部材３２と、これらの各支持部材３２と各肩紐４の一端部４１とを連結する連結部材３３（図３参照）を有している。
【００２８】
ベース部材３１は、図２に示すように、左右対称に形成されたものであり、その左右方向の中央部を背当て部２の左右方向の中央部に一致させた状態で、後述するカバー部材３７等と共に当該背当て部２にリベット状の留め金３４で固定されるようになっている。
【００２９】
このベース部材３１は、平板部３１ａと、この平板部３１ａに形成された凸状縁部３１ｂ、２つの揺動支持部３１ｃ（図２においては左側の揺動支持部３１ｃのみを示す）、ストッパ部３１ｄ、３つの連結孔３１ｅ（図２においては中央及び左側の連結孔３１ｅのみを示す）及び２つの突起部３１ｆ（図２において左側の突起部３１ｆのみを示す）を有している。
【００３０】
平板部３１ａは、横長の平板状に形成されたものであり、その裏面全体が背当て部２に密着するようになっている。凸状縁部３１ｂは、平板部３１ａの左右側縁部及び下縁部に沿って当該平板部３１ａの表面から一定の高さに突出するように形成されたものである。揺動支持部３１ｃは、平板部３１ａの左右対称位置にあって当該平板部３１ａの表面から円筒状に突出するように形成されたものであり、その外周面で支持部材３２を回転自在に支持するようになっている。また、揺動支持部３１ｃの中心部は、平板部３１ａを貫通するように形成されている。ストッパ部３１ｄは、平板部３１ａの上端部における左右方向の中央部にあって当該平板部３１ａの表面から突出するように形成されたものであり、各揺動支持部３１ｃを支点にして中央方向に揺動する各支持部材３２のその中央方向の移動を停止するようになっている。
【００３１】
連結孔３１ｅは、断面円形の孔によって形成されたものであり、その一つがストッパ部３１ｄにおける左右方向の中央部を貫通するように設けられ、他の２つが平板部３１ａの上部における左右の各端部を貫通するように設けられている。なお、左右の各連結孔３１ｅは、平板部３１ａにおける左右対称位置に配置されている。また、左右の各連結孔３１ｅは、平板部３１ａの表面から突出する円筒部によって周囲が囲まれている。これら３つの各連結孔３１ｅには、上述した留め金３４が挿入されるようになっている。また、左右の各連結孔３１ｅを囲む円筒部は、左右の各揺動支持部３１ｃを支点にして左方向又は右方向に揺動する各支持部材３２の当該左方向又は右方向への移動を停止させるストッパを兼ねたものとなっている。
【００３２】
突起部３１ｆは、平板部３１ａの左右対称位置にあって当該平板部３１ａの表面から円柱状に突出するように形成されたものであり、左右の各支持部材３２を中央方向に揺動させるための板バネ（弾性部材）３５を平板部３１ａにおける所定の位置に保持するようになっている。板バネ３５は、所定の幅のばね鋼板をその長手方向の所定の位置で屈曲成形したものであり、その屈曲部を突起部３１ｆと下方位置の凸状縁部３１ｂとの間に挿入し、その一端部４１を側方位置の凸状縁部３１ｂに当て、他端部を支持部材３２に当てることにより、当該支持部材３２を中央寄りに揺動させるための弾性力を当該支持部材３２に作用させるようになっている。
【００３３】
支持部材３２は、図２〜図８に示すように、軸線Ｃ１に沿って延在する一定の幅の平板状に形成された支持板部３２ａと、この支持板部３２ａの上側に当該支持板部３２ａより幅が広く形成された幅広板部３２ｂとによって一体的に形成されている。支持板部３２ａは、その下端部に、揺動支持部３１ｃの外周面に回転自在に嵌合する軸受孔３２ｃを有し、その軸受孔３２ｃの上側に、軸線Ｃ１に沿って長く形成された肉抜孔３２ｄを有している。なお、支持板部３２ａの下端部は半円状に形成されている。また、支持板部３２ａは、軸受孔３２ｃが揺動支持部３１ｃに嵌合された状態において、幅広板部３２ｂがベース部材３１の上縁から上方に突出するように、その軸方向の長さが設定されている。
【００３４】
幅広板部３２ｂは、図８に示すように、その軸線Ｃ２が支持板部３２ａの軸線Ｃ１に対して斜めに形成されている。そして、図２において、左側に位置する支持部材３２は、幅広板部３２ｂの軸線Ｃ２が支持板部３２ａの軸線Ｃ１に対して左上方に向かうように形成され、右側に位置する支持部材３２は、幅広板部３２ｂの軸線Ｃ２が支持板部３２ａの軸線Ｃ１に対して右上側に向かうように形成されている。
【００３５】
また、幅広板部３２ｂは、図８に示すように、ベース部材３１から上方に突出した直後の部分が上方に向かうに従って漸次背当て部２から離れるように変位する傾斜部３２ｅとなっており、この傾斜部３２ｅの上側の部分が支持板部３２ａに対して平行に形成された平行部３２ｆとなっている。平行部３２ｆには、その幅方向の両端部から軸線Ｃ２の方向に突出するアーム３２ｇ、３２ｇが形成されている。各アーム３２ｇには、その対向する各面から同軸状に突出する片持ち状の回転支持軸３２ｈが形成されている。各回転支持軸３２ｈは、断面が円形状に形成されている。また、各アーム３２ｇは、回転支持軸３２ｈの下側の部分（回転支持軸３２ｈに対して各アーム３２ｇの根元側の部分）が直線状に延在する棒状部材（脱落防止部材）３２ｉによって連結されている。
【００３６】
連結部材３３は、図３〜図７及び図９に示すように、基端部３３ａと、この基端部３３ａから板状に延在する板状部３３ｂとによって一体的に形成されている。
【００３７】
基端部３３ａは、図９に示すように、断面が円に近い長円状に形成された軸部３３ｃと、この軸部３３ｃの両端部に形成されたストッパ部３３ｄとによって一体的に形成されている。軸部３３ｃは、その軸方向の長さがアーム３２ｇ、３２ｇの対向する面間の長さよりわずかに短く形成されている。軸部３３ｃの各端面には、回転支持軸３２ｈに回転自在に嵌合する所定の深さの軸受孔３３ｅが形成されている。
【００３８】
また、軸部３３ｃには、一方の軸受孔３３ｅの軸方向に沿って延在し、かつ外周面から当該一方の軸受孔３３ｅに至るように切り込まれたスリット３３ｆが形成されている。このスリット３３ｆは、その長さが一方の軸受孔３３ｅと同一に形成され、その幅が軸受孔３３ｅから外周面に向けて漸次広くなるように形成されており、回転支持軸３２ｈが外周面側から軸受孔３３ｅ内に入るのを容易にし、かつ当該回転支持軸３２ｈが軸受孔３３ｅから外周面側に出るのを困難にする形状になっている。この場合、軸受孔３３ｅの内面におけるスリット３３ｆの幅は、回転支持軸３２ｈの直径より十分小さなものとなっている。また、スリット３３ｆは、図９（ｂ）に示すように、軸部３３ｃを端面視した場合において、板状部３３ｂに沿って作用する肩紐４からの力Ｆの方向に対して、周方向にほぼ９０度回転した位置に形成されており、当該肩紐４からの力Ｆによって、回転支持軸３２ｈが軸受孔３３ｅから抜け出すの防止するようになっている。
【００３９】
なお、基端部３３ａは、スリット３３ｆの無い一方の軸受孔３３ｅを一方の回転支持軸３２ｈに嵌合させた上で、他方の回転支持軸３２ｈの外周面にスリット３３ｆを押し付けることによって、そのスリット３３ｆの間隔を弾性的に開いて、その他方の回転支持軸３２ｈを軸受孔３３ｅ内に挿入するようになっている。
【００４０】
ストッパ部３３ｄは、基端部３３ａが回転支持軸３２ｈに回転自在に取り付けられた状態において、各アーム３２ｇの側面に当ることによって、その回転支持軸３２ｈ回りの基端部３３ａの回転を防止するようになっている。
【００４１】
板状部３３ｂは、幅方向の寸法が軸部３３ｃの軸方向の長さより短く形成された四角形の板状に形成されたものであり、その幅方向を軸部３３ｃの軸方向に向けた状態で、当該軸部３３ｃの軸方向の中心部に一体的に連結されている。即ち、板状部３３ｂは、図６に示すように、基端部３３ａが回転支持軸３２ｈに回転自在に取り付けられた状態において、幅広板部３２ｂの軸線Ｃ２と同軸状に延在するように、軸部３３ｃに一体的に形成されている。また、板状部３３ｂは、図９に示すように、先端から軸部３３ｃに向かって漸次厚くなるように形成されていると共に、軸部３３ｃの近傍部分に補強用のリブ３３ｇが設けられており、曲げ強度の向上が図られている。
【００４２】
また、板状部３３ｂは、先端部に、肩紐４の一端部４１と結合するための貫通孔（結合部）３３ｈが形成されている。更に、板状部３３ｂには、基端部３３ａから貫通孔３３ｈの間に基端部３３ａに対して離接する方向に伸縮する弾性変形部３３ｉが形成されている。この弾性変形部３３ｉは、板状部３３ｂの一部を当該板状部３３ｂの一方の面側に円弧状に突出するように湾曲させた湾曲部によって形成されている。
【００４３】
肩紐４は、図３〜図５に示すように、帯状に形成された複数の素材を積層したもので構成されており、特に肩に当る内面部分はクッション性を有する部材４ａによって構成されている。この肩紐４は、その一端部４１が支持部材３２におけるアーム３２ｇ、３２ｇ間に挿入され、基端部３３ａ及び棒状部材３２ｉを内側に配して当該棒状部材３２ｉで折り返され、板状部３３ｂの各面を両側から挟んだ状態になり、この状態において、基端部３３ａや板状部３３ｂに沿いかつ互いに重り合う部分同士が縫合されるようになっている。図３及び図４において、４ｂはその縫合部を示している。そして、肩紐４は、図５に示すように、その一端部４１にける２つの位置に形成された貫通孔及び板状部３３ｂの貫通孔３３ｈを貫通する留め金３６によって、当該板状部３３ｂに結合されるようになっている。この場合、肩紐４の一端部４１は、板状部３３ｂの貫通孔３３ｈの部分に結合されることによってループ状に形成されることになる。
【００４４】
また、棒状部材３２ｉは、ループ状に形成された肩紐４の一端部４１の内側に沿うように配置されており、当該一端部４１が支持部材３２から脱落するのを防止するようになっている。また、棒状部材３２ｉは、アーム３２ｇ、３２ｇが互いに開く方向に変形するのを防止する補強部材を兼ねたものともなっている。なお、肩紐４から作用する力は、留め金３６及び貫通孔３３ｈを介して板状部３３ｂに伝達されることになる。従って、ランドセルを通常使用している状態においては、肩紐４からの力が棒状部材３２ｉに直接作用することがなく、このため、肩紐４の一端部４１におけるループ状に形成された部分や、縫合部４ｂにも肩紐４からの力が作用することがない。即ち、通常の使用状態においては、肩紐４における一端部４１のループ状に形成された部分、縫合部４ｂ及び棒状部材３２ｉが肩紐４から作用する力によって破損するおそれのない構造になっている。
【００４５】
一方、ベース部材３１は、図２に示すように、その表面側がカバー部材３７によって覆われるようになっている。このカバー部材３７は、ベース部材３１に支持部材３２や板バネ３５等の必要な部品を組み込んだ上で、そのベース部材３１の表面側を覆うように設置した後、当該カバー部材３７に形成された図示しない貫通孔及びベース部材３１に形成された各揺動支持部３１ｃの中心貫通孔に挿入される図示しない留め金によって、当該ベース部材３１に一体的に結合されるようになっている。
【００４６】
このように一体的に結合されたベース部材３１及びカバー部材３７は、背当て部２における所定の位置に配置し、そのカバー部材３７の上から化粧用のシート部材２２を被せ、このシート部材２２の上にさらに化粧を兼ねた保護部材３８を載置した上で、この保護部材３８の図示しない貫通孔、シート部材２２の図示しない貫通孔、カバー部材３７の図示しない貫通孔、ベース部材３１の各連結孔３１ｅのそれぞれに挿入され、更に背当て部２の図示しない貫通孔に挿入される留め金３４により、当該背当て部２に強固に固定されるようになっている。即ち、留め金３４は、背かん３を背当て部２に強固に固定するようになっている。シート部材２２は、カバー部材３７を覆った状態でその周縁部が背当て部２に縫着されるようになっている。
【００４７】
また、背かん３が背当て部２に固定された状態において、連結部材３３は、図５及び図７に示すように、その基端部３３ａが下方に位置し、板状部３３ｂが上方に位置した状態になっている。そして、基端部３３ａは、図７に示すように、板状部３３ｂの各面が背当て部２の前後方向に揺動するように支持部材３２の回転支持軸３２ｈに回転自在に連結された状態になっている。
【００４８】
また、ストッパ部３３ｄは、板状部３３ｂの前方への揺動角度γが所定の角度となるように基端部３３ａの回転範囲を制限するようになっている。この場合、揺動角度γは、背当て面２１ａに対して背当て部２の前方に３０度の角度となるように設定されている。なお、図４、図５及び図７においては、背当て面２１ａに沿って上方に延在する方向に対する角度をもって、揺動角度γを示している。
【００４９】
また、図１、図２及び図１０において、６は、ランドセルを手で持つときに使用する取っ手である。
【００５０】
上記のように構成されたランドセルにおいては、連結部材３３の基端部３３ａが支持部材３２に回転自在に連結され、当該基端部３３ａの上方に位置する板状部３３ｂの各面が背当て部２の前後方向に揺動するようになっていると共に、板状部３３ｂの前方への揺動角度γが所定の角度となるように基端部３３ａの回転範囲がストッパ部３３ｄによって制限されるようになっており、かつ肩紐４の一端部４１が棒状部材３２ｉの位置で折り返されて板状部３３ｂの各面を挟んだ状態で当該板状部３３ｂの貫通孔３３ｈに留め金３６によって結合されるようになっているので、図１０に示すように、背当て部２の上端部２ａを背負う者の背中から離す方向に生じるモーメントＭに対して、そのモーメントＭに抗する力を板状部３３ｂにおける肩紐４との結合部に発生させることができる。
【００５１】
従って、背当て部２の上端部２ａが背中から離れる方向に移動するのを防止することができるので、ランドセルが重く感じるようになったり、肩紐４が肩から外れやすくなるのを防止することができる。
【００５２】
この場合、板状部３３ｂが揺動角度γの範囲で背当て部２の前方に揺動することが可能になっているので、肩紐４の一端部４１及びその近傍部分が肩に沿うように自然に傾くようになると共に、背当て部２が背中の上方に位置する（即ち、ランドセル本体部１が背中の上方に位置する）ことになる。従って、より違和感なく背負うことができると共に、より軽く感じることができるという効果を奏する。
【００５３】
特に、ストッパ部３３ｄによって、揺動角度γが３０度となるように設定されているので、背負う者の肩に沿って肩紐４の一端部４１及びその近傍部分が十分に密着するように傾くことになる。また、３０度を超えて板状部３３ｂを揺動させようとするモーメントＭに対しては抗力が生ずることになるので、背当て部２の上端部２ａが背中から離れる方向に移動するのを防止することができる。
【００５４】
ここで、揺動角度γを３０度としたのは、このような角度で板状部３３ｂが揺動可能であれば、種々の体型の者の肩に沿うように肩紐４の一端部４１及びその近傍部分が十分に傾くことになるからであると共に、この３０度を超えて板状部３３ｂを前方に揺動可能なように構成した場合には、上述したモーメントＭに対する抗力が発生しにくくなり、背当て部２の上端部２ａが背中から離れる方向に移動しやすくなるからである。
【００５５】
一方、上述のように、モーメントＭに対する抗力が板状部３３ｂにおける肩紐４との結合部、即ち板状部３３ｂの貫通孔３３ｈの部分に生ずることになることから、例えば走ることによってランドセルが上下方向に振動すると、その振動による運動エネルギが大きな衝撃力となって板状部３３ｂの貫通孔３３ｈの部分に作用するおそれがある。しかし、板状部３３ｂにおける基端部３３ａから貫通孔３３ｈまでの間に、基端部３３ａに対して離接する方向に弾性的に伸縮する弾性変形部３３ｉが設けられているので、上述した運動エネルギをその弾性変形部３３ｉの伸縮によって吸収することができる。従って、板状部３３ｂの貫通孔３３ｈの部分に作用する衝撃力を緩和することができるので、当該貫通孔３３ｈの部分や留め金３６等が破損するのを防止することができる。即ち、背かん３における肩紐４との結合部の破損を防止することができる。
【００５６】
また、上述した衝撃力を緩和することができることから、肩紐４を介して背負う者の肩に作用する荷重も軽減することができる。従って、子供等の肩にかかる負担を軽減することができるという利点もある。
【００５７】
一方、肩紐４の一端部４１が棒状部材３２ｉで折り返されて板状部３３ｂの貫通孔３３ｈの部分で結合されるようになっているので、万一、板状部３３ｂにおける貫通孔３３ｈの部分や留め金３６等が破損し、更に基端部３３ａが破損したり、この基端部３３ａと支持部材３２との連結部分が破損するようなことがあっても、当該肩紐４における折り返されてループ状になった部分が棒状部材３２ｉに引っ掛かった状態になる。従って、板状部３３ｂにおける肩紐４との結合部が仮に破損するようなことがあっても、肩紐４の一端部４１が背かん３から突然外れるのを確実に防止することができる。
【００５８】
また、弾性変形部３３ｉは、板状部３３ｂの一部を当該板状部３３ｂの一方の面側に突出するように湾曲形成された湾曲部によって構成されているので、上述した伸縮する方向に十分大きなストロークをもって弾性変形することが可能になる。このため、肩紐４から作用するより大きな運動エネルギを吸収することができるので、板状部３３ｂの貫通孔３３ｈの部分や留め金３６等に作用する衝撃力を十分に緩和することができる。従って、板状部３３ｂの貫通孔３３ｈの部分や留め金３６等の破損をより確実に防止することができると共に、背負う者の肩にかかる負担を十分に軽減することができる。
【００５９】
しかも、弾性変形部３３ｉが上述した湾曲部によって形成されているので、板状部３３ｂの各面の方向にも弾性的に屈曲変形することが可能になる。従って、肩紐４の一端部４１及びその近傍部分が背負う者の肩に沿うようにより柔軟に傾くことが可能になるので、肩にかかる負担をより軽減することができる。
【００６０】
なお、上記実施の形態においては、肩紐４の一端部４１が棒状部材３２ｉで折り返されて板状部３３ｂの各面を挟むように構成した例を示したが、肩紐４の一端部４１が基端部３３ａで折り返されるように構成してもよい。ただし、棒状部材３２ｉについては、排除しても、排除しなくてもよい。
【００６１】
この場合にも、肩紐４の一端部４１が基端部３３ａで折り返された状態になるので、貫通孔３３ｈ及び留め金３６等の肩紐４を板状部３３ｂに結合する部分が破損したとしても、肩紐４の一端部４１におけるループ状に形成された部分が基端部３３ａに引っ掛かった状態になり、当該肩紐４が背かん３から突然外れてしまうことがない。
【図面の簡単な説明】
【００６２】
【図１】本発明の一実施の形態として示したランドセルの斜視図である。
【図２】同ランドセルにおける背かんの要部を破断して示した正面図である。
【図３】同ランドセルにおける支持部材、連結部材及び肩紐の一端部を示す正面図である。
【図４】同ランドセルにおける支持部材、連結部材及び肩紐の一端部を示した図３におけるIV矢視図であって、（ａ）は連結部材の板状部が真上に延在した状態を示す図であり、（ｂ）は連結部材の板状部が前方に３０度傾いた状態を示す図である。
【図５】同ランドセルにおける支持部材、連結部材及び肩紐の一端部を示した図３におけるＶ−Ｖ線に沿う断面図であって、（ａ）は連結部材の板状部が真上に延在した状態を示す図であり、（ｂ）は連結部材の板状部が前方に３０度傾いた状態を示す図である。
【図６】同ランドセルにおける支持部材及び連結部材を示す図であって、（ａ）は正面図であり、（ｂ）は裏面図である。
【図７】同ランドセルにおける支持部材及び連結部材を示す図であって、（ａ）は図６（ａ）のＡ矢視図であり、（ｂ）は図６（ａ）のＢ−Ｂ線に沿う断面図である。
【図８】同ランドセルにおける支持部材を示す図であって、（ａ）は正面図、（ｂ）は右側面図、（ｃ）は裏面図、（ｄ）は左側面図、（ｅ）は（ｃ）のＥ−Ｅ線に沿う断面図である。
【図９】同ランドセルにおける連結部材を示す図であって、（ａ）は正面図、（ｂ）は右側面図、（ｃ）は裏面図、（ｄ）は左側面図、（ｅ）は（ａ）のＥ−Ｅ線に沿う断面図である。
【図１０】同ランドセルの作用効果を示す説明図である。
【図１１】従来のランドセルの構成及び問題点を示す説明図である。
【符号の説明】
【００６３】
１  ランドセル本体部
２  背当て部
２ａ  上端部
３  背かん
４  肩紐
２１ａ  背当て面
３１  ベース部材
３２  支持部材
３２ｉ  棒状部材（脱落防止部材）
３３  連結部材
３３ａ  基端部
３３ｂ  板状部
３３ｄ  ストッパ部
３３ｈ  貫通孔（結合部）
３３ｉ  弾性変形部
４１  一端部
Ｍ  モーメント
γ  揺動角度
【図１】
2009077884.tif 000003
【図２】
2009077884.tif 000004
【図３】
2009077884.tif 000005
【図４】
2009077884.tif 000006
【図５】
2009077884.tif 000007
【図６】
2009077884.tif 000008
【図７】
2009077884.tif 000009
【図８】
2009077884.tif 000010
【図９】
2009077884.tif 000011
【図１０】
2009077884.tif 000012
【図１１】
2009077884.tif 000013